(57)【要約】【課題】電子錠の開錠信号の送信方法及び送信装置において、ユーザーに求める動作を低減させる。【解決手段】スマートフォンなどの携帯端末３０１のユーザーが室外にいる場面を想定する。携帯端末３０１が、特定の電子錠３１０Ａのジオフェンス２０１Ａ内に入ったことを検知すると（Ｓ４０１）、携帯端末３０１Ａは、第１の通信方法で、接続可能な機器の検出を開始する（Ｓ４０２）。携帯端末３０１が、第１の通信方法で、電子錠３１０Ａと接続可能な位置３０３Ａに到達すると、電子錠３１０Ａとの間に接続を確立する（Ｓ４０３）。接続の確立後、携帯端末３０１は、電子錠３１０Ａに対して開錠信号を送信する（Ｓ４０４）。そして、電子錠３１０Ａは、開錠信号を受信して開錠を行う。【選択図】図４
2017014736.tif 000002
【特許請求の範囲】
【請求項１】
電子錠に対する開錠信号の送信方法であって、
携帯端末が、複数の電子錠のうちの特定の電子錠のジオフェンス内に入ったことを検知するステップと、
前記ジオフェンス内に入ったことを検知した場合に、前記携帯端末が、第１の通信方法で接続可能な機器の検出を開始するステップと、
前記携帯端末が、前記第１の通信方法で前記特定の電子錠と接続可能な位置に到達した場合に、前記特定の電子錠との接続を確立するステップと、
前記接続の確立後、前記携帯端末が、前記特定の電子錠に対して前記開錠信号を送信するステップと
を含むことを特徴とする送信方法。
【請求項２】
前記ジオフェンス内に入ったことの前記検知は、前記携帯端末の記憶部に記憶された、前記携帯端末のユーザーに開錠権限が与えられた複数の電子錠の位置と、前記携帯端末が前記第１の通信方法と異なる第２の通信方法で取得した前記携帯端末の位置とを比較して行うことを特徴とする請求項１に記載の送信方法。
【請求項３】
前記ジオフェンス内に入ったことの前記検知は、前記携帯端末と通信可能なインターネット上の管理サーバに記憶された、前記携帯端末のユーザーに開錠権限が与えられた複数の電子錠の位置と、前記携帯端末が前記第１の通信方法と異なる第２の通信方法で取得した前記携帯端末の位置とを前記管理サーバにおいて比較した結果を受信して行うことを特徴とする請求項１に記載の送信方法。
【請求項４】
前記開錠権限は、日時、時間帯及び回数のうちのいずれかの制限が課されていることを特徴とする請求項２又は３に記載の送信方法。
【請求項５】
前記ジオフェンスは、５０ｍ以上又は超１０００ｍ以下又は未満であることを特徴とする請求項１から４のいずれかに記載の送信方法。
【請求項６】
前記ジオフェンスは、５０ｍ以上又は超２５０ｍ以下又は未満であることを特徴とする請求項５に記載の送信方法。
【請求項７】
前記ジオフェンスは、１５０ｍ以上又は超１０００ｍ以下又は未満であることを特徴とする請求項５に記載の送信方法。
【請求項８】
前記ジオフェンス内に入ったことの前記検知の代わりに、前記特定の電子錠が設置された扉の外側に、前記扉から離隔して設置された発信機の電波を前記携帯端末が検知することによって前記接続可能な機器の検出開始を行うことを特徴とする請求項１に記載の送信方法。
【請求項９】
前記第１の通信方法は、Ｂｌｕｅｔｏｏｔｈ又はＺｉｇＢｅｅであることを特徴とする請求項１から８のいずれかに記載の送信方法。
【請求項１０】
前記第２の通信方法は、ＧＰＳ、Ｗｉ−Ｆｉ又は３Ｇ若しくはＬＴＥであることを特徴とする請求項１から９のいずれかに記載の送信方法。
【請求項１１】
前記接続の前記確立は、前記ジオフェンス内に入ったことを検知した場合に、前記携帯端末のユーザーの動作を必要とすることなく行われることを特徴とする請求項１から１０のいずれかに記載の送信方法。
【請求項１２】
前記開錠信号は、前記無線端末が、前記無線端末が通信可能なインターネット上の管理サーバに対し、前記接続が確立された前記特定の電子錠の開錠信号を要求して取得されることを特徴とする請求項１から１１のいずれかに記載の送信方法。
【請求項１３】
前記開錠信号の前記送信は、前記接続が確立された場合に、前記携帯端末のユーザーの動作を必要とすることなく行われることを特徴とする請求項１から１２のいずれかに記載の送信方法。
【請求項１４】
前記開錠信号の前記送信は、前記特定の電子錠が設置された室内に在室者がいるときに自動的に行われることを特徴とする請求項１３に記載の送信方法。
【請求項１５】
前記開錠信号の前記送信は、前記接続が確立された場合に、前記無線端末のユーザーが所定の動作を行ったことを検知してから行われることを特徴とする請求項１から１０のいずれかに記載の送信方法。
【請求項１６】
前記開錠信号の前記送信は、前記特定の電子錠が設置された室内に在室者がいるときに前記所定の動作を求めることを特徴とする請求項１５に記載の送信方法。
【請求項１７】
前記所定の動作は、前記無線端末と通信可能なデバイスにおいて行われることを特徴とする請求項１５又は１６に記載の送信方法。
【請求項１８】
前記所定の動作は、前記デバイスに対してなされたプッシュ通知に対する応答であることを特徴とする請求項１７に記載の送信方法。
【請求項１９】
前記無線端末と通信可能なデバイスは、ウェアラブルデバイス、移動体、前記特定の電子錠が設置された扉又扉の近傍のセンサーはのうちのいずれかであることを特徴とする請求項１７又は１８に記載の送信方法。
【請求項２０】
前記開錠信号は、前記接続が確立された後、前記所定の動作の前に、前記無線端末が通信可能なインターネット上の管理サーバから取得して前記無線端末において保持されることを特徴とする請求項１５から１９のいずれかに記載の送信方法。
【請求項２１】
前記開錠信号の前記送信は、前記接続が確立された場合に、前記特定の電子錠から前記開錠信号の送信要求を受信してから行われることを特徴とする請求項１から１２のいずれかに記載の送信方法。
【請求項２２】
携帯端末に、電子錠に対する開錠信号の送信方法を実行させるためのプログラムであって、前記送信方法は、
前記携帯端末が、複数の電子錠のうちの特定の電子錠のジオフェンス内に入ったことを検知するステップと、
前記ジオフェンス内に入ったことを検知した場合に、前記携帯端末が、第１の通信方法で接続可能な機器の検出を開始するステップと、
前記携帯端末が、前記第１の通信方法で前記特定の電子錠と接続可能な位置に到達した場合に、前記特定の電子錠との接続を確立するステップと、
前記接続の確立後、前記携帯端末が、前記特定の電子錠に対して前記開錠信号を送信するステップと
を含むことを特徴とするプログラム。
【請求項２３】
電子錠に対する開錠信号の送信装置であって、
複数の電子錠のうちの特定の電子錠のジオフェンス内に入ったことを検知するジオフェンス検知部と、
前記ジオフェンス内に入ったことを検知した場合に、第１の通信方法で接続可能な機器の検出を開始する検出開始部と、
前記送信装置が前記第１の通信方法で前記特定の電子錠と接続可能な位置に到達した場合に、前記特定の電子錠との接続を確立する接続確立部と、
前記接続の確立後、前記特定の電子錠に対して前記開錠信号を送信する送信部と
を備えることを特徴とする送信装置。
【請求項２４】
特定の電子錠と、前記特定の電子錠に対する開錠信号の送信装置を備える電子錠システムであって、
前記送信装置は、請求項２３に記載の送信装置であり、
前記特定の電子錠は、前記送信装置から前記開錠信号を受信した後、さらに所定の入力を受けたことを検知してから開錠を行うことを特徴とする電子錠システム。
【請求項２５】
前記開錠信号は、一定時間経過後に前記特定の電子錠から消去されることを特徴とする請求項２４に記載の電子錠システム。
【発明の詳細な説明】
【技術分野】
【０００１】
本発明は、電子錠に対する開錠信号の送信方法及び送信装置に関する。
【背景技術】
【０００２】
近年、「スマートロック」とよばれるスマートフォン、タブレットなどの携帯端末で開錠可能な電子錠が大きな注目を集めている。
【０００３】
スマートロックの大きな特徴の１つは、従来の金属製の鍵をデジタル化することによって、鍵の受け渡しが極めて容易になったことである。インターネットを介して、家族や友人、宅配業者等に日時、期間等を定めてワンタイムパスで鍵を「渡す」ことができるのである。
【０００４】
鍵を付与された人は、スマートロックに対応したアプリケーション（以下「アプリ」）を携帯端末上で呼び出して、画面上で開錠ボタンをクリック又はタップするか、つまみをフリック又はスライドすることによって（図１）、扉に取り付けられたスマートロックに開錠信号を送信して開錠を行うことができる。
【０００５】
受け渡しが容易になったことに起因して、さまざまな場面で鍵が発行されることになる。これにより、一人の人が複数の鍵が持つようになるため、アプリでは、鍵が一覧表示され、その中から使いたい鍵を選択することになる（図２）。
【発明の概要】
【発明が解決しようとする課題】
【０００６】
しかしながら、実際に付与された鍵（正確には開錠権限）を使って開錠しようとすると、スマートフォンを取り出さないといけないなど、ユーザー体験に改善の余地がある。
【０００７】
より詳細には、まず、スマートフォンを取り出して通常かかっている画面ロックを解除する。その次に、アプリを呼び出して、鍵の一覧から使いたい鍵を選択する。そして、開錠ボタンのタップなどによって、スマートロックの開錠が行われる。こうした一連の動作はユーザーの開錠体験を下げているおそれがある。
【０００８】
本発明は、このような問題点に鑑みてなされたものであり、その目的は、電子錠の開錠信号の送信方法及び送信装置において、ユーザーに求める動作を低減させることにある。
【課題を解決するための手段】
【０００９】
このような目的を達成するために本発明の第１の態様は、電子錠に対する開錠信号の送信方法であって、携帯端末が、複数の電子錠のうちの特定の電子錠のジオフェンス内に入ったことを検知するステップと、前記ジオフェンス内に入ったことを検知した場合に、前記携帯端末が、第１の通信方法で接続可能な機器の検出を開始するステップと、前記携帯端末が、前記第１の通信方法で前記特定の電子錠と接続可能な位置に到達した場合に、前記特定の電子錠との接続を確立するステップと、前記接続の確立後、前記携帯端末が、前記特定の電子錠に対して前記開錠信号を送信するステップとを含むことを特徴とする。
【００１０】
また、本発明の第２の態様は、第１の態様において、前記ジオフェンス内に入ったことの前記検知は、前記携帯端末の記憶部に記憶された、前記携帯端末のユーザーに開錠権限が与えられた複数の電子錠の位置と、前記携帯端末が前記第１の通信方法と異なる第２の通信方法で取得した前記携帯端末の位置とを比較して行うことを特徴とする。
【００１１】
また、本発明の第３の態様は、第１の態様において、前記ジオフェンス内に入ったことの前記検知は、前記携帯端末と通信可能なインターネット上の管理サーバに記憶された、前記携帯端末のユーザーに開錠権限が与えられた複数の電子錠の位置と、前記携帯端末が前記第１の通信方法と異なる第２の通信方法で取得した前記携帯端末の位置とを前記管理サーバにおいて比較した結果を受信して行うことを特徴とする。
【００１２】
また、本発明の第４の態様は、第２又は第３の態様において、前記開錠権限は、日時、時間帯及び回数のうちのいずれかの制限が課されていることを特徴とする。
【００１３】
また、本発明の第５の態様は、第１から第４のいずれかの態様において、前記ジオフェンスは、５０ｍ以上又は超１０００ｍ以下又は未満であることを特徴とする。
【００１４】
また、本発明の第６の態様は、第５の態様において、前記ジオフェンスは、５０ｍ以上又は超２５０ｍ以下又は未満であることを特徴とする。
【００１５】
また、本発明の第７の態様は、第５の態様において、前記ジオフェンスは、１５０ｍ以上又は超１０００ｍ以下又は未満であることを特徴とする。
【００１６】
また、本発明の第８の態様は、第１の態様において、前記ジオフェンス内に入ったことの前記検知の代わりに、前記特定の電子錠が設置された扉の外側に、前記扉から離隔して設置された発信機の電波を前記携帯端末が検知することによって前記接続可能な機器の検出開始を行うことを特徴とする。
【００１７】
また、本発明の第９の態様は、第１から第８のいずれかの態様において、前記第１の通信方法は、Ｂｌｕｅｔｏｏｔｈ又はＺｉｇＢｅｅであることを特徴とする。
【００１８】
また、本発明の第１０の態様は、第１から第９のいずれかの態様において、前記第２の通信方法は、ＧＰＳ、Ｗｉ−Ｆｉ又は３Ｇ若しくはＬＴＥであることを特徴とする。
【００１９】
また、本発明の第１１の態様は、第１から第１０のいずれかの態様において、前記接続の前記確立は、前記ジオフェンス内に入ったことを検知した場合に、前記携帯端末のユーザーの動作を必要とすることなく行われることを特徴とする。
【００２０】
また、本発明の第１２の態様は、第１から第１１のいずれかの態様において、前記開錠信号は、前記無線端末が、前記無線端末が通信可能なインターネット上の管理サーバに対し、前記接続が確立された前記特定の電子錠の開錠信号を要求して取得されることを特徴とする。
【００２１】
また、本発明の第１３の態様は、第１から第１２のいずれかの態様において、前記開錠信号の前記送信は、前記接続が確立された場合に、前記携帯端末のユーザーの動作を必要とすることなく行われることを特徴とする。
【００２２】
また、本発明の第１４の態様は、第１３の態様において、前記開錠信号の前記送信は、前記特定の電子錠が設置された室内に在室者がいるときに自動的に行われることを特徴とする。
【００２３】
また、本発明の第１５の態様は、第１から第１０のいずれかの態様において、前記開錠信号の前記送信は、前記接続が確立された場合に、前記無線端末のユーザーが所定の動作を行ったことを検知してから行われることを特徴とする。
【００２４】
また、本発明の第１６の態様は、第１５の態様において、前記開錠信号の前記送信は、前記特定の電子錠が設置された室内に在室者がいるときに前記所定の動作を求めることを特徴とする。
【００２５】
また、本発明の第１７の態様は、第１５又は第１６の態様において、前記所定の動作は、前記無線端末と通信可能なデバイスにおいて行われることを特徴とする。
【００２６】
また、本発明の第１８の態様は、第１７の態様において、前記所定の動作は、前記デバイスに対してなされたプッシュ通知に対する応答であることを特徴とする。
【００２７】
また、本発明の第１９の態様は、第１７又は第１８の態様において、前記無線端末と通信可能なデバイスは、ウェアラブルデバイス、移動体、前記特定の電子錠が設置された扉又扉の近傍のセンサーはのうちのいずれかであることを特徴とする。
【００２８】
また、本発明の第２０の態様は、第１５から第１９のいずれかの態様において、前記開錠信号は、前記接続が確立された後、前記所定の動作の前に、前記無線端末が通信可能なインターネット上の管理サーバから取得して前記無線端末において保持されることを特徴とする。
【００２９】
また、本発明の第２１の態様は、第１から第１２のいずれかの態様において、前記開錠信号の前記送信は、前記接続が確立された場合に、前記特定の電子錠から前記開錠信号の送信要求を受信してから行われることを特徴とする。
【００３０】
また、本発明の第２２の態様は、携帯端末に、電子錠に対する開錠信号の送信方法を実行させるためのプログラムであって、前記送信方法は、前記携帯端末が、複数の電子錠のうちの特定の電子錠のジオフェンス内に入ったことを検知するステップと、前記ジオフェンス内に入ったことを検知した場合に、前記携帯端末が、第１の通信方法で接続可能な機器の検出を開始するステップと、前記携帯端末が、前記第１の通信方法で前記特定の電子錠と接続可能な位置に到達した場合に、前記特定の電子錠との接続を確立するステップと、前記接続の確立後、前記携帯端末が、前記特定の電子錠に対して前記開錠信号を送信するステップとを含むことを特徴とする。
【００３１】
また、本発明の第２３の態様は、電子錠に対する開錠信号の送信装置であって、複数の電子錠のうちの特定の電子錠のジオフェンス内に入ったことを検知するジオフェンス検知部と、前記ジオフェンス内に入ったことを検知した場合に、第１の通信方法で接続可能な機器の検出を開始する検出開始部と、前記送信装置が前記第１の通信方法で前記特定の電子錠と接続可能な位置に到達した場合に、前記特定の電子錠との接続を確立する接続確立部と、前記接続の確立後、前記特定の電子錠に対して前記開錠信号を送信する送信部とを備えることを特徴とする。
【００３２】
また、本発明の第２４の態様は、特定の電子錠と、前記特定の電子錠に対する開錠信号の送信装置を備える電子錠システムであって、前記送信装置は、第２３の態様の送信装置であり、前記特定の電子錠は、前記送信装置から前記開錠信号を受信した後、さらに所定の入力を受けたことを検知してから開錠を行うことを特徴とする。
【００３３】
また、本発明の第２５の態様は、第２４の態様において、前記開錠信号は、一定時間経過後に前記特定の電子錠から消去されることを特徴とする。
【発明の効果】
【００３４】
本発明によれば、あらかじめ携帯端末と接続可能な機器の検出を開始しておき、携帯端末が特定の電子錠と接続可能な位置に到達すると自動的に接続を確立することによって、付与された複数の鍵のリストから使いたい鍵を手動で選択する必要がなくなり、開錠に際してユーザーに求められる動作を大幅に低減することができる。
【図面の簡単な説明】
【００３５】
【図１】スマートロック用のアプリで開錠信号を送信するための画面を示す図である。
【図２】スマートロック用のアプリで使いたい鍵を選択するための鍵の一覧を示す図である。
【図３】本発明にかかる開錠信号の送信方法の利用場面を示す図である。
【図４】本発明の一実施形態にかかる開錠信号の送信方法の流れを示す図である。
【図５】本発明の一実施形態にかかる開錠装置を示す図である。
【発明を実施するための形態】
【００３６】
以下、図面を参照して本発明の実施形態を詳細に説明する。いくつかの実施形態を例に説明をしていくが、いずれも各実施形態にかかる送信方法が常に実行されなければならないというものではなく、場合によってモードの切り替えや例外処理が発生することは想定されていることを念のため付言する。
【００３７】
（第１の実施形態）
図３に、本発明にかかる開錠信号の送信方法の利用場面を示し、図４に、本発明の一実施形態にかかる送信方法の流れを示す。
【００３８】
スマートフォンなどの携帯端末３０１のユーザーが室外にいる場面を想定する。携帯端末３０１が、特定の電子錠３１０Ａから２００ｍなどの所定の距離の範囲（以下「ジオフェンス」）３０２Ａ内に入ったことを検知すると（Ｓ４０１）、携帯端末３０１Ａは、第１の通信方法で、接続可能な機器の検出を開始する（Ｓ４０２）。第１の通信方法としては、たとえば、Ｂｌｕｅｔｏｏｔｈ（登録商標）  Ｌｏｗ  Ｅｎｅｒｇｙ（ＢＬＥ）などのＢｌｕｅｔｏｏｔｈ又はＺｉｇＢｅｅ（登録商標）を用いることができる。
【００３９】
ジオフェンス３０２Ａ内に入ったか否かの検知は、付与された鍵のリストとともに各鍵に対応する電子錠３１０Ａ、３１０Ｂの位置を携帯端末３０１に記憶しておき、第１の通信方法とは異なる第２の通信方法で取得した携帯端末３０１の位置と比較することによって行うことができる。第２の通信方法としては、たとえば、ＧＰＳ又はＷｉ−Ｆｉを用いることができる。また、３Ｇ、ＬＴＥなどの通信規格に準拠した通信方法とすることもでき、この場合には基地局の位置情報により携帯端末３０１の位置を取得可能である。
【００４０】
付与された鍵には、各種の制限が課されていることがある。たとえば、日時、時間帯の制限、回数の制限等を課すことができる。各携帯端末３０１に記憶できる複数の鍵のリスト、すなわち、各携帯端末のユーザーに開錠権限が与えられた複数の電子錠３１０Ａ、３１０Ｂのリストは、各携帯端末が通信可能なインターネット上の管理サーバ（図示せず）で管理することができる。
【００４１】
携帯端末３０１側でこの検知を行わずに、インターネット上の管理サーバに第２の通信方法で取得した当該携帯端末３０１の位置を送信し、管理サーバに記憶された、当該ユーザーに付与された各鍵に対応する電子錠３１０Ａ、３１０Ｂの位置と比較し、比較した結果を受信して行ってもよい。
【００４２】
ジオフェンス３０２Ａの範囲を２００ｍとすると、徒歩で２、３分で電子錠の位置に到着することになる。この範囲は、適宜設定することができ、たとえば５０ｍ以上又は超１０００ｍ以下又は未満とすることができ、ＧＰＳを用いる場合には５０ｍ以上又は超２５０ｍ以下又は未満、より狭くは５０ｍ以上又は超１５０ｍ以下又は未満としても高精度が得られ、ＧＰＳより精度が劣る通信方法を用いる場合には、たとえば１５０ｍ以上又は超又は超１０００ｍ以下又は未満とすることができる。第１の通信方法は、たとえばＧＰＳによる通信状況が良くないときにＷｉ−Ｆｉなどのほかの方法に切り換えるようにすることもできる。あまり広範囲にすると、電子錠３１０Ａ、３１０Ｂを検出するためのスキャン時間が長くなり、電池の消耗を招く。
【００４３】
携帯端末３０１が、第１の通信方法で、電子錠３１０Ａと接続可能な位置３０３Ａに到達すると、携帯端末３０１のユーザーの動作を必要とすることなく、電子錠３１０Ａとの間に接続を確立する（Ｓ４０３）。電子錠３１０Ａが定期的又は断続的に電波を発しているときには、それを携帯端末３０１が拾うことで接続を行うことができる。
【００４４】
電子錠３１０Ａとは別個に、電子錠３１０Ａが設置された扉の外側付近に携帯端末３０１と接続可能な発信機を設けておき、当該発信機の電波を携帯端末３０１が検知したことによって、接続の確立のための認証を携帯端末３０１のユーザーの動作を必要とすることなく、すなわちアプリをフォアグラウンドにする必要とすることなく行うこともできる。ここで、当該発信機の発する電波強度は、扉の内側には届きにくい強度とすることが好ましい。たとえば、扉の外側に扉から離隔させて設置することができ、扉から外側に１ｍ以上１０ｍ以内の距離だけ離れた位置に設置することが好ましい。より好ましくは３ｍ以上５ｍ以内の距離だけ離れた位置に設置することが好ましい。通信方法としては、第１の通信方法と同様とすることができる。
【００４５】
接続可能な機器の検出を第２の通信方法によってジオフェンス内に入ったことを検知して開始する例で説明をしているが、ここで述べた発信機を用いる技術は、たとえばオフィスにおいて、電子錠３１０Ａが設置された扉から外に一度出て、再度入るときにも適用することができる。つまり、発信機の電波を検知したことによって接続可能な機器の検出開始を行い、電子錠３１０Ａと接続可能な位置３０３Ａに到達すると接続を確立するようにすることもできる。上記のような位置に発信機を設置することによって、たとえばユーザーが歩いて近づく間に接続の確立を終えることができる。
【００４６】
接続の確立後、携帯端末３０１は、電子錠３１０Ａに対して開錠信号を送信する（Ｓ４０４）。開錠信号は、無線端末３０１が、無線端末３０１が通信可能なインターネット上の管理サーバに対し、接続が確立された特定の電子錠３１０Ａの開錠信号を要求して取得することができる。管理サーバは、開錠信号を要求されると、開錠信号を暗号化して携帯端末３０１に送信することができる。セキュリティの観点から、開錠信号は、開錠信号を傍受されて同じ信号を再現されたとしても開錠しない仕組みにすることができる。
【００４７】
電子錠３１０Ａは、開錠信号を受信して開錠を行う。
【００４８】
以上のように、あらかじめ携帯端末３０１と接続可能な機器の検出を開始しておき、携帯端末３０１が特定の電子錠３１０Ａと接続可能な位置３０３Ａに到達すると自動的に接続を確立することによって、付与された複数の鍵のリストから使いたい鍵を手動で選択する必要がなくなり、開錠に際してユーザーに求められる動作を大幅に低減することができる。
【００４９】
接続可能な機器の検出を開始するために、ユーザーがアプリを呼び出して「開始ボタン」などをタップするようにしてもよいが、ジオフェンス３０２Ａ内に入ったことをトリガとすることによって、一層の開錠体験の向上が得られる。また、Ｂｌｕｅｔｏｏｔｈは通常通信距離が１０ｍ程度であるが、これは人体、壁等の障害物によって変化するため、たとえば、Ｂｌｕｅｔｏｏｔｈの通信可能範囲に入ったことをトリガとすると、家の中にいるのに範囲外から範囲内に入ったと判断して開錠が不必要に行われてしまうおそれがある。したがって、ジオフェンス３０２Ａ内に入ったことを検知するための第２の通信方法にはＢｌｕｅｔｏｏｔｈを用いないことが望ましい。ただし、上述のように発信機を用いる場合には、Ｂｌｕｅｔｏｏｔｈを用いることによって、特定の電子錠３１０Ａのジオフェンス内に入ったことの検知と同等とすることも可能である。
【００５０】
さらに、接続の確立後に開錠信号を送信して開錠を行うための最後の入力をユーザーに求めてもよいが、この点も自動化することによって、完全なハンズフリーを実現することができる。たとえば、電子錠３１０Ａが設置された室内に在室者がいるときには安全であるという判断ができる状況もあり、そのような状況において自動的に開錠信号の送信が行われるようにしてもよい。
【００５１】
携帯端末は、ＣＰＵなどの処理部５０１と、記憶部５０２と、無線通信部５０３と、表示部（図示せず）とを備え（図５）、記憶部に記憶されたプログラムを読み出して処理部で実行することによって、上記送信方法の各機能を実現し、送信装置を構成することができる。
【００５２】
（第２の実施形態）
第１の実施形態では、携帯端末３０１と電子錠３１０Ａとの間に接続が確立すると、その後自動的に開錠信号を送信するが、第２の実施形態では、ユーザーが所定の動作を行ったことを検知してから送信する。
【００５３】
ユーザーに多くの動作を求めることは開錠体験を下げることにつながるものの、最後の開錠信号の送信と実際の開錠まですべて自動で進んでしまうことに心理的な抵抗をもつユーザーも想定される。そこで、本実施形態では、接続の確立後、ユーザーの簡単な動作を検知したことを条件に開錠信号を送信する。また、たとえば、電子錠３１０Ａが設置された室内に在室者がいるときには使用中である次のユーザーの入室に注意を喚起したい状況もあり、そのような状況において所定の動作を求めるようにしてもよい。
【００５４】
具体的には、接続の確立後、時計型、リストバンド型等のウェアラブルデバイスにプッシュ通知を行い、ユーザーの指等の物体の接触又は接近を当該ウェアラブルデバイスが有するセンサーが検知したことを契機に、アプリがそのことを当該ウェアラブルデバイスから受信して、開錠信号を送信することができる。たとえば、筐体にタッチパネルディスプレイ等の表示部を設けて、当該表示部を圧力センサーとして用いることもできる。また、物体が接触又は接近したときの静電容量の変化、押下によりオン・オフするタクタイルスイッチなどを用いることもできる。
【００５５】
スマートフォン、タブレットなどの携帯端末３０１を取り出すことが必要となるかもしれないが、これらのデバイスにプッシュ通知をすることも可能である。
【００５６】
スマートフォン、タブレットなどの携帯端末３０１を取り出さずに、鞄、ポケット等の中に収容された状態で振動を検知したことを契機に開錠信号を送信することもできる。振動の検知には、携帯端末３０１が有する加速度センサーを用いることができる。
【００５７】
ユーザーの手等の物体が電子錠３１０Ａが設置された扉のドアノブに接触又は接近したことを契機に、送信を行うことができる。たとえば、扉又は扉の近傍に圧力センサー、指紋センサー、タクタイルスイッチなどのセンサーを設置し、物体の接触又は接近を検知することができる。
【００５８】
また、自動車、自転車等の移動体に所定の変化が生じたことを契機に、携帯端末３０１に開錠信号を送信することもできる。例として、自動車のエンジンが切られたこと、自転車のライトが切られたこと、自転車の鍵がかけられたことなどを移動体において検知し、アプリにそのことを伝えることにより、実現することができる。
【００５９】
また、開錠信号は、セキュリティの観点から、送信する直前に管理サーバから取得するのが安全であるが、数秒、数十秒という短期間のみあらかじめ保持しておくと、ユーザーが所定の動作を行ったことを検知してすみやかに管理サーバとの通信を行うことなく送信が可能となる。これにより、ユーザーの体感速度が向上する。
【００６０】
（第３の実施形態）
第１及び第２の実施形態では、電子錠３１０Ａが開錠信号を受信すると開錠を自動的に行うが、第３の実施形態では、電子錠３１０Ａが所定の入力を受けたことを検知してから開錠を行う。
【００６１】
具体的には、電子錠３１０Ａが開錠信号を受信した後、ユーザーが扉をノックするなどの形で振動を与えたことを検知したことを契機に、開錠を行うことができる。電子錠３１０Ａが加速度センサーを備えることで振動の検知が可能である。
【００６２】
ユーザーの手等の物体の電子錠３１０Ａが設置された扉のドアノブに接触又は接近したことを契機に、開錠を行うことができる。たとえば、扉又は扉の近傍に圧力センサー、指紋センサー、タクタイルスイッチなどのセンサーを設置し、物体の接触又は接近を検知することができる。
【００６３】
第２の実施形態でも述べたように、たとえば、電子錠３１０Ａが設置された室内に在室者がいるときには使用中である次のユーザーの入室に注意を喚起したい状況もあり、そのような状況において電子錠３１０Ａが所定の入力を受けたことの検知を求めるようにしてもよい。
【００６４】
なお、第２の実施形態では触れなかったが、電子錠３１０Ａが上記のように所定の入力を検知したことを契機として、電子錠３１０Ａから携帯端末３０１に開錠信号の送信要求を送信し、当該送信要求に応答して携帯端末３０１から電子錠３１０Ａに開錠信号を送信することもできる。
【００６５】
また、電子錠３１０Ａが受信した開錠信号が長期間保持し続けることはセキュリティ上の懸念を生じさせるため、数秒等の所定の期間を経過したら消去するのが適当である。
【符号の説明】
【００６６】
３０１  携帯端末
３０２Ａ、３０２Ｂ  ジオフェンス
３０３Ａ、３０３Ｂ  第１の通信方法で接続可能な位置
３１０Ａ、３１０Ｂ  電子錠
５０１  処理部
５０２  記憶部
５０３  無線通信部
【図１】
2017014736.tif 000003
【図２】
2017014736.tif 000004
【図３】
2017014736.tif 000005
【図４】
2017014736.tif 000006
【図５】
2017014736.tif 000007